Podtech/llm-jp-corpus-v4-ja_patent huggingface dataset:
(57)【要約】【課題】スリッパを脱ぎ再度履こうとする時に指先挿入部が、足の指先方向に姿勢を整える作業が要らないスリッパ等を得る。【解決手段】スリッパの足乗せ面２に鼻緒５ａ、５ｂ、５ｃを１２０°間隔に三箇所取り付け、鼻緒５ａ、５ｂ、５ｃの集合部に甲当て３を設ける。【選択図】  図１
2005177427.tif 000002
【特許請求の範囲】
【請求項１】
スリッパ台座（１）より厚さが薄く且つ、足乗せ面（２）の半径よりやや小さい径を直径とする円状の甲当て（３）の外周を１２０°の等間隔に３分割し外周に向け３方向へ放射状に小幅の緒（４ａ、４ｂ、４ｃ）を所要の長さに設け、鼻緒（５ａ、５ｂ、５ｃ）部分を円状とし、先端に鼻緒（５ａ、５ｂ、５ｃ）の径より大きい径の円盤（７）を形成させ、離脱防止機能を持つ鼻緒止め（６）として設け成形した三方向から履けるスリッパ。
【請求項２】
平均的足長に対応する径と厚みを持つ円盤状のスリッパ台座（１）及び足乗せ面（２）に外周を１２０°の等間隔に３分割し且つ、外周よりやや中央寄りの各３点位置に離脱防止機能を持つ鼻緒止め（６）を嵌合させる鼻緒（５ａ、５ｂ、５ｃ）と円盤（７）に合致する設置孔を設けた請求項１記載の三方向から履けるスリッパ。
【発明の詳細な説明】
【技術分野】
【０００１】  本発明は、三方向から自在に履くことを可能とした着脱容易なスリッパに関する。
【背景技術】
【０００２】  従来のスリッパにおいては、足の爪先挿入部位が足乗せ面の一方側に特定されており、必然的に所定の一方向のみで履くという動作を強要した設定のものであった。
【発明の開示】
【発明が解決しようとする課題】
【０００３】  前記のように従来のスリッパにあっては、所定の一方向からのみ履くことを強要されていたので、スリッパを履く際には必ず爪先挿入部位が、足の爪先方向と揃うようにその都度位置を整える、又は整え直す必要があった。【０００４】  具体的には、スリッパを最大角度１８０°回転させる必要があり、頻繁に脱ぎ履きする場所での使用は、スリッパの使用後に正常に揃えて置く等の煩わしい作業が伴うもので、健常者と雖もスリッパを履く際、スリッパを整態し位置を確保する作業は面倒なものであり、ましてや、非健常者や高齢者又は幼少子にとってのこの作業は相当の負担となる。
【課題を解決するための手段】
【０００５】  上記課題を解決するために本発明は、スリッパ台座より厚さが薄く且つ、足乗せ面の半径よりやや小さい径を直径とする円状の甲当ての外周を１２０°の等間隔に３分割し外周に向け３方向へ放射状に小幅の緒を所要の長さに設け、鼻緒部分を円状とし、先端に鼻緒の径より大きい径の円盤を形成させ、離脱防止機能を持つ鼻緒止めとして設け成形した三方向から履けるスリッパ。【０００６】  平均的足長に対応する径と厚みを持つ円盤状のスリッパ台座及び足乗せ面に外周を１２０°の等間隔に３分割し且つ、外周よりやや中央寄りの各３点位置に離脱防止機能を持つ鼻緒止めを嵌合させる鼻緒と円盤に合致する設置孔を設けた三方向から履けるスリッパ。【０００７】  上記のようにして得た緒及び鼻緒止めの各３本の先端を、スリッパ台座及び足乗せ面に穿った３カ所の設置孔に埋め込み固定する。
【発明の効果】
【０００８】  本発明は、足の爪先挿入部が足乗せ面に１２０°間隔に等分されて３ヵ所配置されているので、少なくとも３通りの選択肢を持ち、足の爪先を自在に挿入部に挿入することが出来る。【０００９】  上記により、スリッパを脱ぎ再度履こうとする時に最大角度１８０°回転させる必要がなく、健常者はもとより非健常者にとっては、スリッパの着脱が大変容易になる。【００１０】  左右の区別が無く三方向から着脱出来るため、従来履く人の個性でスリッパ底の片減りが軽減でき、耐用年数が延長される。【００１１】  使用場所もテラス、庭、又は屋外等でサンダルとしても利用できる。
【発明を実施するための最良の形態】
【００１２】  本発明は、スリッパの足乗せ面に鼻緒を１２０°間隔に三箇所取り付け、鼻緒の集合部に甲当てを取り付けたものである。【００１３】  また、鼻緒と甲当ては一体化し、爪先上部及び足の甲等を擦過して傷を付けることのないよう滑らかに接続してある。
【実施例】
【００１４】  実施例について図面を参照して説明すると、図１において、スリッパの足乗せ面２に鼻緒５ａ、５ｂ、５ｃを１２０°間隔に三箇所取り付け、鼻緒５ａ、５ｂ、５ｃの集合部に甲当て３を設けてある。【００１５】  着脱の頻繁な便所やベランダ等でスリッパを最大角度１８０°回転させたり、指先挿入部が、足の指先方向に姿勢を整える作業を不必要にした。
【図面の簡単な説明】
【００１６】
【図１】  本発明の三方向から履けるスリッパの斜視図である。
【図２】  本発明の三方向から履けるスリッパの平面図である。
【図３】  本発明の三方向から履けるスリッパの正面図である。
【図４】  本発明の三方向から履けるスリッパの鼻緒止め及び、円盤を設置穴に埋め込んだ「拡大」断面図である。
【符号の説明】
【００１７】１  スリッパ台座
２  足乗せ面
３  甲当て
４ａ、４ｂ、４ｃ  緒
５ａ、５ｂ、５ｃ  鼻緒
６  鼻緒止め
７  円盤
【図１】
2005177427.tif 000003
【図２】
2005177427.tif 000004
【図３】
2005177427.tif 000005
【図４】
2005177427.tif 000006
(57)【要約】      （修正有）【課題】掛軸は住む家の宝物とされて居ます。その家の家紋を入れることによって一段とより良い風格と美観を増した宝物と成る。【解決手段】製作（表装）の段階で家紋を別の生地で型作りし、かたを抜くかあるいは色違いの生地を張り合わせて作た家紋を軸の天の中心部の表に切継、張り合わせいたします。【選択図】図１
2005177426.tif 000002
【特許請求の範囲】
【請求項１】
家紋をいれた掛軸の製品と、製作〈表装〉方法天の裂地の裏面に家紋地を張り付ける
【発明の詳細な説明】
【発明の詳細な説明】
【技術分野】
【０００１】掛軸はその家に住む人の人生でもある。床の間に吊りその家の一番中心であります又お寺まいりをして、心を清めその思いでの掛軸に家紋あを入れたら、さらに喜びと楽しい思いでが大きく成ります。
【課題を解決するための手段】
【０００２】裁断と切継
生地に家紋の図案、を特殊印刷して、型取りして切り抜きします、天の裂地中心部に家紋地の寸法より糊代分小さく型取りして切り抜き、天の裂地の裏側から張り付ける天の裂地裏面と家紋地の表面を張り付けする
【発明の効果】
【０００３】家の家紋を入れた掛軸が床ノ間にかかっているだけで住む人の心をお落ちつかせます、そして家の宝ものとしていそ引きたち、一段と美観を感じます
【図面の簡単な説明】
【図１】「掛軸を吊た正面図」
【図２】「天裂地と家紋切継、裏地拡大図」
【図３】「天裂地と家紋、裏地を裁断の一部拡大図」
【符号の説明】
１    天（上）
２    家紋
３    中回し天（上）
４    中回し柱
５    本紙
６    柱
７    中回し地（下）
８    地（下）
９    軸先
１０    風帯
１１    裏地
１２    糊代
【図１】
2005177426.tif 000003
【図２】
2005177426.tif 000004
【手続補正書】
【提出日】平成16年3月16日(2004.3.16)
【手続補正１】
【補正対象書類名】図面
【補正対象項目名】全図
【補正方法】変更
【補正の内容】
【図１】
2005177426.tif 000005
【図２】
2005177426.tif 000006
【図３】
2005177426.tif 000007
(57)【要約】【課題】  ジュエリー等の収納スペースを小さく、かつ保管をわかり易くする収納具。【解決手段】  ホルダー頭部１を、別の単体ホルダー下部２の底面挿入孔に挿入して、連続立体ホルダーにする。【選択図】    図１    図２    図３
2005177422.tif 000002
【特許請求の範囲】
【請求項１】
ジュエリー等を立体的に収納し、かつ、連続して立体的に積み上げることのできる、立体ジュエリーホルダー。
【発明の詳細な説明】
【発明の詳細な説明】
【技術分野】
【０００１】  本発明は、ジュエリー等を収納する、小物具に関する。
【背景技術】
【０００２】  従来のジュエリー収納具は、平面的に収納するようにしている。
【発明が解決しようとする課題】
【０００３】  従来のジュエリー収納具にあっては、平面的収納のため、指輪などを立体的に収納できず、収納スペースを多くとるという問題点があった。
【課題を解決する為の手段】
【０００４】  上記の問題点を解決するために、本発明は、単体ホルダーを連続して上に積み上げて、立体的に収納する。
【発明を実施するための最良の形態】
【０００５】  本発明は、ホルダー下部底面に設けた挿入孔に、同じ単体ホルダーの頭部を挿入して、連続して上に積み上げ、立体収納を可能にする。
【実施例】
【０００６】  実施例について図面を参照して説明すると、図１において、ホルダーは頭部１と下部２で形成され、図２に示すように、下部２の底面には、単体ホルダー頭部１を挿入するための挿入孔３が設けられる。そして、図３に示すように、ホルダーの頭部１を、別の単体ホルダー下部２の底面挿入孔３に挿入することで、容易に連続立体ホルダーを形成することができる。
【発明の効果】
【０００７】  本発明は、以上説明したような状態で実施され、連続して立体的にジュエリー等を収納することで、収納スペースを小さく、かつ、一目でホルダーに収納したジュエリー等を判別でき、またインテリアグッズとしても有用な立体ジュエリーホルダーとなる。
【図面の簡単な説明】
【図１】  単体ホルダーの外形図である。
【図２】  単体ホルダーの縦断面図である。
【図３】  単体ホルダーを連続して立体的に積み上げた実施例である。
【符号の説明】
１    ホルダー頭部
２    ホルダー下部
３    挿入孔
【図１】
2005177422.tif 000003
【図２】
2005177422.tif 000004
【図３】
2005177422.tif 000005
(57)【要約】本発明は確実な消毒を目的とした簡易使いきり消毒セットであり、一人一回使用量のガーゼ、消毒液、綿球とピンセットをセットしてパックに梱包して滅菌した物である。【課題】本発明は従来の衛生材料が消毒に必要な全ての材料を揃えていない為確実な消毒になっていない事に注目した。【解決手段】消毒液の種類、ガーゼ、綿球の量等を調節すると共にピンセットとセットして樹脂製容器に入れ、更にパックに入れて滅菌した簡易使いきり消毒セットとした。【選択図】図１
2005177430.tif 000002
【特許請求の範囲】
【請求項１】
ガーゼ（ガーゼ、ドレッシング類を含めて以後ガーゼと呼ぶ）ピンセット、消毒液、綿球の一人一回分の使用量を容器にセットして更に箱又はパックに入れて滅菌（ガス，放射線，高圧滅菌）した簡易使いきり消毒セット。
（必要に応じて絆創膏をつけるもセットとはしない）
【請求項２】
ガーゼ、消毒液、綿球の量はセットにより異なる。消毒液の種類も一種類に限らない。消毒液を混入した容器は従来公知の開封方法（ちぎり、ネジ、プルトップ式）等によりカットが容易であり滅菌の可能な合成樹脂等で出来ている容器に入っている。容器は陥没部があり消毒材料がはいる。陥没部以外の部分（隔壁部，容器の周囲部）はフイルムが容易に剥離出来る程度に密着している。
【発明の詳細な説明】
【技術分野】
【０００１】本発明は家庭でも簡単に確実な消毒をする為の簡易使いきり消毒セットに関する。
【背景技術】
【０００２】従来の衛生材料には消毒剤と綿棒及びそれらを収容する容器からなる滅菌した物がある。（例えば、特許文献１と２参照。）。
また綿球、ガーゼ、ピンセット、スポンジ付き消毒棒に薬品を入れる凹部を設けたセットがある。（例えば特許文献３参照）。
【特許文献１】特開２００３−２９０３１７（第１頁代表図面）
【特許文献２】特開２００３−２２１０７４（第１頁代表図面）
【特許文献３】実開平５−４４１１１（第１頁図１）
【発明の開示】
【発明が解決しようとする課題】
【０００３】従来の衛生材料は消毒に必要な物品、つまり消毒からガーゼで覆うまでの一式が滅菌してセットされていない。衛生材料一式をセットする事で確実な消毒が実現出来るのである。
【課題を解決するための手段】
【０００４】本願発明は消毒に必要なガーゼ、ピンセット、消毒液、綿球の一人一回分の使用量をセットして樹脂製容器に入れ更にパック等に入れて滅菌した物である。
【発明の効果】
【０００５】一般家庭では滅菌した衛生材料を必要時に使用が出来るように全て揃えている事は難しい。そのため不潔な材料を使用したり、使用期限の切れている消毒液を使用しての消毒になりやすい。このような消毒は消毒の効果が得られていない。簡易使いきり消毒セットは毎回、滅菌した材料を使用する為消毒の効果が発揮できるし、セットしてあるので不足する材料がなく、克つパックに梱包されているので使用期間が長期である。
【発明を実施するための最良の形態。実施例】
【０００６】一般家庭はもちろんの事、厳密な消毒を要する外科系の入院患者が外泊をする時、又早期に消毒部分を残して退院をする患者用として、又、珠にしか消毒をする事のない施設や学校等においても便利である。
【図面の簡単な説明】
【０００７】
【図１】…平面図
【符号の説明】
１…陥没部
２…隔壁部
３…容器の周囲部
４…ピンセット
５…消毒液と消毒液を入れたパック
６…綿球
７…ガーゼ
８…フイルム
９…フイルムの開け口
【図１】
2005177430.tif 000003
(57)【要約】【課題】本発明は、腰部の牽引効果のある健康マットである。従来、腰部の牽引は、病院や診療施設等、医療機関で施術されるものであり、かつ、大がかりな装置であるため家庭等で容易に行われないものであるが、簡便な健康マットとして提供する。【解決手段】マット本体（１）の上半身部（３）に頭部方向に弾性のある多数の突起（２）または波状の突起（５）を施し、下半身部（４）に足先方向に弾性のある多数の突起（２）または波状の突起（５）を施したマットに、仰臥または横臥することにより、その反する二方向の弾性を利用して腰部の牽引効果が得られるようになされたものである。【選択図】図１
2005177421.tif 000002
【特許請求の範囲】
【請求項１】
マット本体（１）の上半身部（３）に頭部方向に弾性のある多数の突起（２）を施し、下半身部（４）に足先方向に弾性のある多数の突起（２）を施したマット。
【請求項２】
マット本体（１）の上半身部（３）に頭部方向に弾性のある波状の突起（５）を施し、下半身部（４）に足先方向に弾性のある波状の突起（５）を施したマット。
【発明の詳細な説明】
【発明の詳細な説明】
【技術分野】
【０００１】  本発明は、牽引治療を要する腰痛患者に、牽引治療の効果が得られる健康マットに関するものである。
【背景技術】
【０００２】  従来、腰痛患者の治療方法の一つとして、腰部の機械的牽引による治療が行われている。
【発明が解決しようとする課題】
【０００３】  腰部の牽引治療には、上半身および腰部をベルト等で固定し、機械的に腰部を牽引するなど煩雑的かつ、大がかりな治療器具が専らであり、家庭で行うには困難であった。本発明は、簡便な器具により腰部の牽引の効果が得られるようになされたものである。
【課題を解決するための手段】
【０００４】  マット本体（１）の上半身部（３）に頭部方向に弾性のある多数の突起（２）または波状の突起（５）を施し、下半身部（４）に足先方向に弾性のある多数の突起（２）または波状の突起（５）を施したマットに、仰臥または横臥することにより、その反する二方向の弾性を利用して腰部の牽引効果が得られるようになされたものである。
【発明を実施するための最良の形態】
【０００５】  以下、本発明の実施の形態を説明する。
マット本体（１）の上半身部（３）に頭部方向に弾性のある多数の突起（２）または波状の突起（５）を施し、下半身部（４）に足先方向に弾性のある多数の突起（２）または波状の突起（５）を施した構成よりなるもので、本発明を使用する場合は、この上に仰臥または横臥することにより腰部の牽引効果が得られるようになされたものである。
【発明の効果】
【０００６】  本発明により、大ががりな牽引治療器具を用いることなく腰部の牽引の効果を得ることができる。
【図面の簡単な説明】
【図１】  本発明の斜視図
【図２】  本発明の斜視図
【図３】  本発明の中心部分の拡大図
【図４】  本発明の中心部分の拡大図
【図５】  本発明の断面図
【図６】  本発明の断面図
【符号の説明】
（１）マット本体、（２）突起部、（３）マット上半身部、（４）マット下半身部、（５）波状突起部
【図１】
2005177421.tif 000003
【図２】
2005177421.tif 000004
【図３】
2005177421.tif 000005
【図４】
2005177421.tif 000006
【図５】
2005177421.tif 000007
【図６】
2005177421.tif 000008
(57)【要約】【課題】  台上に置いて、無造作に効率よく渋皮を除去する器具を提供する。【解決手段】  中央部を湾曲に成型し、無数の鋭角突起を作り擦り削り面とし、側板の先端部に薄刃物を装着したことを特徴とする栗の渋皮除去具。【選択図面】  図１
2005177424.tif 000002
【特許請求の範囲】
【請求項１】
湾曲した中央部を擦り削り面とし、両端を曲折して側板とし、先端部に削り薄刃を装着したことを特徴とする栗の渋皮除去具。
【発明の詳細な説明】
【技術分野】
【０００１】  本発明は栗の渋皮を擦り、削り落とす渋皮除去具に関するものである。
【背景技術】
【０００２】  従来栗の渋皮を除去する器具はない。従って渋皮を除くには小刃物を使用して削り落としている。
【発明の開示】
【０００３】  そのために次のような問題点があった。
（イ）    指先で栗をつまみ、小刀等で削り落としているが指先に力が要り、指や手が            痛くなる。
（ロ）    不安定な動作で誤って指を傷つけることがある。
（ハ）    渋皮と共に実の部分も削り落とされて小さくなる。
（ニ）    時間がかかり能率が悪い。本発明は、これらの問題を解決するためになされ            たものである。
【課題を解決するための手段】
【０００４】  中央部を湾曲に成型し、表面に無数の鋭角突起を作り擦り削り面とし、先端部に削り薄刃物を装着した。以上を特徴とする栗の渋皮除去具である。
【発明の効果】
【０００５】  擦り削り部を湾曲に成型したために歩留まりは良く、台上に置いての作業は無造作な取扱いで疲れず能率がよい。
【発明を実施するための最良の形態】
【０００６】  以下、本発明の形態について説明する。
（イ）    湾曲した擦り削り面（１）に無数の鋭角突起（２）を作る。
（ロ）    削り面（１）と交互に抜き窓（３）を設ける。
（ハ）    両端を曲折して側板（４）とする。
（ニ）    先端部に湾曲した削り薄刃物（５）を装着する。
本発明は以上のような構造で、これを使用するときは器具を台上に置き擦り削り面（１）で栗を回し乍ら往復運動すると抜き窓から渋皮は落下する。
外観よく仕上げるには先端部の薄刃物を使用すると完全である。
【図面の簡単な説明】
【０００７】
【図１】本発明の平面図
【図２】本発明のＡ−Ａ断面図
【図３】本発明の右側面図
【符号の説明】
【０００８】      １  擦り削り面
２  鋭角突起
３  抜き窓
４  側板
５  薄刃物
６  刃物軸
【図１】
2005177424.tif 000003
【図２】
2005177424.tif 000004
【図３】
2005177424.tif 000005
(57)【要約】  【課題】  ふるい時間を短縮して迅速に行なうことができかつふるい目が塞がることのないふるい装置を得ること。  【解決手段】  筒形本体の底部にふるい網を張設固定し、本体に対し、回転可能に設置した回転筒の下部において、前記ふるい網の直上に材料をふるい網に押付けながら移動する棒状撹拌部材を固定したこと。【選択図】    図１
2005177589.tif 000002
【特許請求の範囲】
【請求項１】
筒形本体の底部にふるい網を張設固定し、本体に対し回転可能に設置した回転筒の下部において、前記ふるい網の直上に材料をふるい網に押しつけながら移動する棒状撹拌部材を固定したふるい装置。
【請求項２】
ふるい網を弾性体により本体に対して上下動可能に支持した請求項１記載のふるい装置。
【発明の詳細な説明】
【技術分野】
【０００１】
本発明は主として土木関係の作業に多く用いるふるい装置に関するものである。
【背景技術】
【０００２】
土木作業はふるいを用いて土砂の大小を選別することが多い。従来ふるいを利用する作業中ショベル用のふるい装置には、バケット底部を網状にしたスケルトンバケットと、バケット底部に網状の筒部材を装備し、網筒をモータやシリンダーを用いて摺動させたり網筒を回転させるトロンメル形等があるが、何れも材料を網の上で動かし、網の目より小さい物を材料の重量で網下に落下させるものであった。尚湿った材料をふるった場合は、網に土砂が付着、堆積して網を塞ぐためふるうことができない欠点があった。
【発明の開示】
【発明が解決しようとする課題】
【０００３】
本発明の課題は、前記従来技術のふるい装置に比べふるい時間を短縮して迅速に行ない又ふるいが塞がることのない装置を提供することにある。
【課題を解決するための手段】
【０００４】
本発明の手段は次のとおりである。
【０００５】
筒形本体の底部にふるい網を張設固定し、本体に対し回転可能に設置した回転筒の下部において、前記ふるい網の直上に棒状撹拌部材を固定したこと。
【発明の効果】
【０００６】
本体１内に取り入れた材料はモータ７により回転する回転筒２及び棒状撹拌部材１０によって撹拌されながらふるい網４上を移動する。その際ふるい網４の目より小さいものは下方に落下する。又材料は棒状撹拌部材１０とふるい網４の間に入り込み、網目から押し出す作用が発生する。この押し出し作用で、ふるい効率が増進して、湿気を含んだ土砂であっても円滑に押し出すことができ、ふるい網の目詰まりを防止する。又図６の例では弾性体１２によりふるい網を支持するようにしてあるので、棒状撹拌部材１０とふるい網４の間に入り込んだ材料は、ふるい網４を下方に移動し、ふるい網４の損傷を防ぎ、同時にふるい網の上下振動によりふるい効率が上がり、ふるいに要する時間が更に短縮する。
【発明の実施の形態】
【０００７】
図を参照して本発明に係るふるい装置の構造を説明する。
【０００８】
図１において１は本体たる外筒、２は本体１の内部に装備した回転筒である。本体１の内壁面にボルトナット５，５´により旋回輪３を回転可能に設置する。
【０００９】
本体１の上部の回転筒２の内側上部よりふるい材（図は省略）が回転筒２と共回りを防ぐために筒状部材６を設けてある。
【００１０】
本体１には駆動モータ７が取付けてありスプロケット８とチェーン９で、回転筒２が回転可能である。尚駆動手段はスプロケットチェーンに限らずその他任意の構造を選択使用する。
【００１１】
本体１の下端に平らなふるい網４を張設固定し、ふるい網４と細隙１４を介して複数の棒状撹拌部材１０が回転筒２に固定してある。又本体１にショベル（図は省略）に取付けるためのブラケット１１を固着してある。
【００１２】
図６に示すものはふるい網４を弾性体１２を介して本体たる外筒１に取付けたもので、弾性体１２は本図ではスプリングとしているが、ゴム材でも良く弾力でふるい網が上下に動くようにしてある。ふるい網４は図８のような丸棒を編んだもの３０として記入してあるが、図９は丸穴４０の集合、角穴５０の集合を示したものも使用できる。
【図面の簡単な説明】
【００１３】
【図１】縦断側面図。
【図２】一部の平面図。
【図３】同上の側面図。
【図４】同じく正面図。
【図５】ふるい網の平面図。
【図６】別の実施態様を示す縦断側面図。
【図７】図６の要部の拡大断面図。
【図８】ふるい網の一部の斜視図。
【図９】ふるい網の別の例を示す斜視図。
【符号の説明】
【００１４】
１        本体
２        回転筒
３        旋回輪
４        ふるい網
５，５´  ボルトナット
６        筒状部材
７        モーター
９        チェーン
１０      棒状撹拌部材
１１      ブラケット
１２      弾性体
【図１】
2005177589.tif 000003
【図２】
2005177589.tif 000004
【図３】
2005177589.tif 000005
【図４】
2005177589.tif 000006
【図５】
2005177589.tif 000007
【図６】
2005177589.tif 000008
【図７】
2005177589.tif 000009
【図８】
2005177589.tif 000010
【図９】
2005177589.tif 000011
(57)【要約】【課題】  接着剤の塗布と塗布した接着剤の加熱硬化を１工程で可能とし、工程数の削減、設備費の低廉化及び設備の設置スペースの縮小化を可能としたプリキュアヘムシーラ装置を提供する。【解決手段】  ロボットアームの先端に設けたシーラガン３により板金ワークＷの重ね合わせ部に熱硬化性の接着剤５を塗布するプリキュアヘムシーラ装置において、前記シーラガン３の先端に非導電材で形成したシーラノズル４を設け、このシーラノズル４の周囲を囲むようにしてリング状の高周波加熱コイル６を配置した。【選択図】        図２
2005177558.tif 000002
【特許請求の範囲】
【請求項１】
ロボットアームの先端に設けたシーラガンにより板金ワークの重ね合わせ部に熱硬化性の接着剤を塗布するプリキュアヘムシーラ装置において、前記シーラガンの先端に非導電材で形成したシーラノズルを設け、このシーラノズルの周囲を囲むようにしてリング状の高周波加熱コイルを配置したことを特徴とするプリキュアヘムシーラ装置。
【発明の詳細な説明】
【技術分野】
【０００１】
本発明は、板金ワークの重ね合わせ部に熱硬化性の接着剤を塗布するプリキュアヘムシーラ装置に関するものである。
【背景技術】
【０００２】
自動車の製造工場において、例えば、図５で示すドア１０の製造ではアウタパネル１１とインナパネル１２とを、その端縁のヘミング部の重ね合わせ部１３にプリキュアヘムシーラ装置で熱硬化性のエポキシ樹脂の接着剤５を塗布してシーリングしている。
【０００３】
従来では、図６（ａ）で示すようにシーリング装置１４によって接着剤５を塗布する第１工程と、図６（ｂ）で示すように加熱装置１５によって前記塗布した接着剤５を加熱硬化する第２工程とによる２工程を要していた。このような２工程では生産タクトが短い工程の場合は第１工程と第２工程とを分けざるを得なく、設備費がかさむと共に広い設備の設置スペースを必要としている問題があった。
【特許文献１】特開平０８−３１８１９２号公報
【特許文献１】特開平１１−１８５９４４号公報
【発明の開示】
【発明が解決しようとする課題】
【０００４】
本発明の目的は、接着剤の塗布と塗布した接着剤の加熱硬化を１工程で可能とし、工程数の削減、設備費の低廉化及び設備の設置スペースの縮小化を可能としたプリキュアヘムシーラ装置を提供することである。
【課題を解決するための手段】
【０００５】
上記の目的を達成するための本発明は、請求項１に記載の通り、ロボットアームの先端に設けたシーラガンにより板金ワークの重ね合わせ部に熱硬化性の接着剤を塗布するプリキュアヘムシーラ装置において、前記シーラガンの先端に非導電材で形成したシーラノズルを設け、このシーラノズルの周囲を囲むようにしてリング状の高周波加熱コイルを配置したことを特徴とするものである。
【発明の効果】
【０００６】
本発明によると、シーリング作業をシーラガンによる接着剤の塗布と高周波加熱コイルによる接着剤加熱硬化を１工程で行う工程数の削減と、設備費の低廉化及び設備の設置スペースの縮小化とを可能とした効果を有しているものである。
【発明を実施するための最良の形態】
【０００７】
以下本発明を実施するための最良の形態について図面に基づいて説明する。図１において、１はロボットであり、２はロボットアームである。このロボットアーム２の先端にシーラガン３が設けられている。
【０００８】
図１のＡ部の拡大詳細図である図２に示すように、前記シーラガン３の先端に接着剤５を塗布するための非導電材で形成したシーラノズル４を設ける。この非導電材はセラミックスが望ましく、図３で示すように、シーラ流路４ａが設けられている。
【０００９】
さらに、前記シーラノズル４の周囲を囲むようにしてリング状の高周波加熱コイル６を配置したものである。
【００１０】
前記高周波加熱コイル６はシーラガン３に固定した環状のコイル止め具７に支持軸８によって取付けている。
【００１１】
本発明は上記の通りの構造であるから、図１で示すようにロボットアーム２を介してシーラガン３を治具上に位置決めされている板金ワークＷに接近させ、板金ワークＷの重ね合わせ部を図２で示すようにシーラガン３を移動してシーラノズル４により接着剤５を塗布すると共に、高周波加熱コイル６により塗布した接着剤５を加熱硬化する。尚、シーラノズル４はセラミックスの非導電材で形成されているため高周波加熱コイル６による加熱には影響を及ぼすことがない。
【００１２】
すなわち、図４で示すように、シーラガン３を矢印ａ方向に往動して接着剤５を塗布し、次いでシーラガン３を矢印ｂ方向に復動して高周波加熱コイル６により前記塗布した接着剤５を加熱硬化する。つまり、接着剤５の塗布と加熱硬化をシーラガン３の往復動で行うのである。
【００１３】
これにより、１工程で接着剤の塗布と塗布した接着剤の加熱硬化を可能とし、工程数の削減、設備費の低廉化及び設備の設置スペースの縮小化を可能したものである。
【００１４】
また、高周波加熱コイル６は、コイル止め具７を上下方向に調節可能としておくことにより、接着剤５の塗布面に対し任意の位置に設定可能とし、接着剤５の加熱硬化に対して適正な位置に位置決めすることができ、高周波加熱による板金ワークＷの熱歪みを抑制し、熱歪みを矯正するための治具や作業を廃止する利点を有している。
【図面の簡単な説明】
【００１５】
【図１】本発明装置の全体を示す側面図
【図２】図１のＡ矢視部の拡大詳細図
【図３】シーラノズルと高周波加熱コイル部の断面図
【図４】本発明によるプリキュアヘムシーラ動作の１例を示す図
【図５】プリキュアヘムシーラの１例を示す図
【図６】従来のプリキュアヘムシーラ工程図
【符号の説明】
【００１６】
１    ロボット
２    ロボットアーム
３    シーラガン
４    シーラノズル
４ａ  シーラ流路
５    接着剤
６    高周波加熱コイル
７    コイル止め具
８    支持軸
【図１】
2005177558.tif 000003
【図２】
2005177558.tif 000004
【図３】
2005177558.tif 000005
【図４】
2005177558.tif 000006
【図５】
2005177558.tif 000007
【図６】
2005177558.tif 000008
(57)【要約】【課題】  簡単に液質改善が可能であり、容器の大きさや口の径にかかわらず液質改善が可能な液質改善部材を提供する。【解決手段】  木炭や竹炭等の液質改善材１０を収容し、ペットボトル等の容器１２の口１４から容器１２内に挿入可能な形状の不織布等の通液性の袋部材１６と、一端が接続され他端部に摘み部２０を備えた紐部材１８とを備える。【選択図】  図１
2005177544.tif 000002
【特許請求の範囲】
【請求項１】
炭から成る液質改善材を収容し、容器の口から容器内に挿入可能な形状の通液性の袋部材から成る液質改善部材。
【請求項２】
液質改善材を収容し、容器の口から容器内に挿入可能な形状の通液性の袋部材と、一端が接続され他端部に摘み部を備えた紐部材とを備えた液質改善部材。
【請求項３】
上記液質改善材は炭であることを特徴とする請求項２記載の液質改善部材。
【請求項４】
上記容器はペットボトルであることを特徴とする請求項１または２記載の液質改善部材。
【発明の詳細な説明】
【技術分野】
【０００１】
この発明は、液体容器に収容された飲料や化粧料、その他の液体の性質を良好なものにする液質改善部材に関する。
【背景技術】
【０００２】
従来、例えばペットボトル飲料の水質を改善する水質改善部材として特許文献１に開示されているものがあった。この水質改善部材は、竹炭やセラミック等の吸着剤から成る水質改善剤を備え、既存のペットボトルの注ぎ口に取付可能とした取付部材と、取付部材の上部に脱着自在に連設した開閉用蓋体と、上記取付部材の下部に連設し、上記水質改善剤を内包するカートリッジとからなるものである。そして、上側容器本体と、同上側容器本体にスライド自在に係合した下側容器本体とにより収容容器を形成し、この収容容器の内部に上記水質改善剤を収容してカートリッジを構成したものである。
【特許文献１】特開２００３−１３６０７５号公報
【発明の開示】
【発明が解決しようとする課題】
【０００３】
上記従来の技術の場合、ペットボトル内に水質改善剤を内包したカートリッジを収納し、ペットボトル内の水の水質改善を図るものであるが、カートリッジを必要とし、カートリッジが専用のものとなりコストがかかるものであった。
【０００４】
この発明は、上記従来の技術に鑑みて成されたもので、簡単に液質改善が可能であり、容器の大きさや口の径にかかわらず液質改善が可能な液質改善部材を提供することを目的とする。
【課題を解決するための手段】
【０００５】
この発明は、木炭や竹炭等の液質改善用の炭化物を収容し、ペットボトル等の容器の口から容器内に挿入可能な形状の不織布等の通液性の袋部材を備えた液質改善部材である。さらに、袋部材に一端が接続され他端部に摘み部を備えた紐部材を備えても良い。
【発明の効果】
【０００６】
この発明の液質改善部材によれば、簡単に容器内の液体の性質を改善することができ、容器内への挿入や取り出しが容易であり、液質改善効果の高い液質改善部材を提供することを目的とする。
【発明を実施するための最良の形態】
【０００７】
以下、この発明の実施の形態について説明する。この実施形態の液質改善部材は、木炭や竹炭、活性炭等の炭化物から成る液質改善材１０を収容し、容器１２の口１４から容器１２内に挿入可能な形状の不織布等の通液性の袋部材１６を備える。袋部材１６には、紐部材１８の一端が接続され、紐部材１８の他端部に摘み部２０が取り付けられている。
【０００８】
容器１２の口１４にはキャップ２２が螺合可能に設けられ、このキャップ２２は紐部材１８が挿通された状態でも螺合可能なものである。
【０００９】
容器１２は、ＰＥＴ（ポリエチレンテレフタレート）等から成り、内部に飲料水やその他の液体を収容している。収容された液体がミネラルウォータの場合、充填時に酸素を高濃度に溶解させても良い。これにより、よりおいしい水となる。
【００１０】
その他、液質改善のために収納可能な液体としては、食用油、酒類、化粧料、薬品、燃料等、適宜選択可能である。
【００１１】
袋部材１６は、容器１２のラベル２４に包装材とともに貼付または吊り下げておくと良い。使用時には、包装材を破り袋部材１６を取り出してキャップ２２を開けて口１４から袋部材１６を容器１２内に挿入する。このとき紐部材１８の他端部の摘み部２０を口１４の外に位置させる。この状態で、キャップ２２を回して容器１２内を密封し、保管または所定時間置いておく。
【００１２】
これにより、液質改善材１０の作用により、ミネラルウォータ内の不純物が吸着され、液質改善材１０の遠赤外線放射効果等により水分子等のクラスターが細かくされ、より吸収性の良いおいしい水となる。また、ミネラルウォータ以外の場合も、上記効果が期待できる。
【００１３】
なお、この発明の液質改善部材は上記実施形態に限定されるものではなく、紐部材を設けずに、袋部材とも液質材改善材を容器内に沈めるものでも良い。
【図面の簡単な説明】
【００１４】
【図１】この発明の一実施形態の液質改善部材の使用状態の斜視図である。
【図２】この実施形態の液質改善部材の使用方法を示す斜視図である。
【図３】この実施形態の液質改善材の正面図である。
【符号の説明】
【００１５】
１０  液質改善材
１２  容器
１４  口
１６  袋部材
１８  紐部材
２０  摘み部
２２  キャップ
【図１】
2005177544.tif 000003
【図２】
2005177544.tif 000004
【図３】
2005177544.tif 000005
(57)【要約】      （修正有）【課題】耳上に発生する傷とガーゼが外れることを防止する酸素マスクを提供する。【解決手段】マスクと装着部をつなぐ部分を、マスクを安定して支える幅を持って作り、頭部から耳までを覆う帽子型にした。【選択図】図１
2005177398.tif 000002
【特許請求の範囲】
【請求項１】
マスクと装着部をつなぐ部分が、マスクを安定して支える幅を持って作られた、頭部から耳までを覆う装着部を持つ帽子型の酸素マスク。
【発明の詳細な説明】
【発明の詳細な説明】
この発明は、装着部を帽子型にした酸素マスクに関するものである。
従来の酸素マスクは、マスク脇に１本のゴム紐をつけ、それを耳上から頭部に回して使用している。しかし、これを長期にわたり継続的に使用しているとゴム圧で耳上に傷が生じ、ゴム紐をその場所にかけられなくなり酸素マスクの使用が困難なものとなる。また、酸素マスクを使用していると、酸素の影響で唇や口中が乾燥し、唇の荒れや口中に分泌物が固く付着するということが生じてくる。そのかたまりが気管に入ってしまうと窒息の危険にもつながる。この乾燥を緩和する為に、水を含ませたガーゼをマスク脇にはさむなどするが１本のゴム紐だけで支えているのではガーゼが外れやすくなかなか期待する効果が得られない。
本発明は、その問題を解決する為になされたものである。
以下、それを説明すると
（イ）マスクの装着部を、仰臥状態で頭を動かしてもずれたり外れたりしない伸縮性のある素材を用いた頭部から耳までを覆う帽子型にする。
（ロ）図１−３に示すマスクと装着部をつなぐ部分を、マスクを安定して支える幅のあるものにする。図１−４に示す穴を２つに、もしくは幅広くしてもよい。
このことによって、耳上に傷が生じることはなくなる。従来の酸素マスクを使用していて傷が生じた場合も、本発明の帽子型酸素マスクを使用することで傷の状態も快方に向かう。さらに、酸素による乾燥を防ぐ為のガーゼも安定してはさむことができる。なお、付随効果として、正常な判断力や動作力の低下した患者がマスクを嫌がって外そうとしても外しにくいという利点がある。
本発明は、このような方法で問題を解決した帽子型酸素マスクである。
【図面の簡単な説明】
【図１】  本発明の斜視図
【図２】  本発明の使用状態を示す説明図
【図３】  従来の使用状態を示す説明図
【符合の説明】
１  装着部
２  マスクと装着部をつなぐ部分
３  マスクと装着部をつなぐ部分の幅
４  穴
【図１】
2005177398.tif 000003
【図２】
2005177398.tif 000004
【図３】
2005177398.tif 000005
(57)【要約】【課題】  中型や大型の傘の場合でも、傘を使用したときの圧迫感がなく、視認性を向上できる傘を提供する。【解決手段】  骨材の本数が６本〜１２本程度の傘において、その中の１本〜６本位の骨材の長さを短くして傘生地を表装すると、骨材の短い部分はアーチ状に開かれた形状になる。市街地で使用する場合は、特に他の歩行者や自転車、障害物、風向きにより、傘を差す向きを変えることで操作性も向上する。又、大型の傘の場合でも見通しが良いので、安全性が向上する。【選択図】  図７
2005177399.tif 000002
【特許請求の範囲】
【請求項１】
当傘本体は、中心シャフトとスライドリングと複数本の骨材、そして支持部材によって形成し、骨材の表面は傘生地で表装されている傘において、骨材の長さを１本以上短くすることにより、視界の向上と機能を高め安全性を向上した傘。
【請求項２】
中心シャフトを伸縮性のあるものにし、骨材は親骨と折畳み骨にして、支持部材、連結部、傘生地により構成される傘であるが、不使用時は折畳むことにより携帯性、実用性を高めた請求項１に記載の安全性を向上した傘。
【発明の詳細な説明】
【発明の詳細な説明】
【技術分野】
【０００１】  本発明は、雨傘又は、日傘に関するものである。
【背景技術】
【０００２】  周知のように、傘の張り布の平面形状は略円形をしている。
そして、中心シャフトの先端部分で、複数本の同一長さの骨材を開閉可能なように支持している。傘を開いたときは骨材が円弧を描くように、骨材と支持部材、スライドリングを連結し、骨材の表面は傘生地が張り展ばされる。
傘のサイズを大きくした場合は、円弧の大きさも大きくなり、深さも深くなりその分重量も重くなる。傘を差したときも頭上より圧迫感があり見通しも悪い。
雨天のときに、車椅子や買い物用カートを押して出掛けたり、リュックを背負ったり手荷物を持っているときは、従来の傘では背中や足元が濡れることは避けられない。大型の傘を市街地で使用する場合は、見通しが悪い為に問題があった。
【発明が解決しようとする課題】
【０００３】  大きな傘を使用すると、雨濡れの問題は解決できるが、傘全体が大きくなるので圧迫感があり、見通しも悪くなり、交通事故に巻き込まれる恐れもでてくる。
又、サイズの大きくなった分だけ骨材、傘生地の重量も重くなるので女性、老人が使用するのは実用的でない。
本発明は、傘の必要な部分を切り欠き、大型の傘の場合でも利便性、視認性が向上できる傘を提供することを考えた。
【課題を解決するための手段】
【０００４】  本発明は以上の課題を解決するため、図７に示すように、請求項１に記載された傘を形成する。即ち、骨材の１本以上を短くすることにより、傘を開いた状態では、短い骨材を使用している部分の傘の外観はアーチ状に開かれていることになる。（図４、図５参照）  即ち、車輌や街路樹、通行人に対する視認性が格段に高まり、傘を使用している人の安全性はかなり改善される。  骨材と傘生地の使用量が減少した分だけ、傘重量も軽減される。
特に、大型の傘にすることにより、雨濡れの問題は解消される。
携帯性の問題は請求項２に記載しているように、折り畳み傘にすることにより解決でき、コンパクトになり利便性も増す。
【発明を実施するための最良の形態】
【０００５】  本発明の実施の形態を図１〜図３において説明する。
図１の場合は、骨材８本の中の１本を短くし、骨材の表面を傘生地で表装したものの、平面図である。  図２の場合は、骨材１０本の中の２本を短くし、骨材の表面を傘生地で表装したものの、平面図である。
図３は骨材１０本の中の４本を短くし、骨材の表面を傘生地で表装したものの、平面図である。
図６は、本発明を折り畳み傘にした場合の骨材の部分を表し、親骨と折畳み骨の関係を示す。親骨の長さを一定にして、折畳み骨の長さを一本以上短くすることにより、実施される。  傘生地を表装すると図１〜図３のようになる。
【発明の効果】
【０００６】  以上述べたように、大型の傘の場合でも本発明を使用することにより、軽量化を計ることができ、雨濡れの防止、そして視界が良くなるので交通安全の問題も改善される。傘生地に透明の部分を設けることにより、尚一層視認性は向上する。
【図面の簡単な説明】
【図１】  骨材が８本の中の１本を短くして、傘生地を表装した場合の平面図である。
【図２】  骨材が１０本の中の２本を短くして、傘生地を表装した場合の平面図である。
【図３】  骨材が１０本の中の４本を短くして、傘生地を表装した場合の平面図である。
【図４】  図１の傘の正面図である。骨材の短い部分はアーチ状に開かれる。
【図５】  図２、図３の傘の正面図である。骨材の短い部分はアーチ状に開かれる。
【図６】  本発明を折り畳み傘にした場合の、半断面図である。折畳み骨を１本以上短くすることにより、実施される。
【図７】  本発明の図２の傘の外観を表す、外観図である。二点鎖線の部分は骨材と傘生地が省かれる。
【符号の説明】
１、中心シャフト
２、スライドリング
３、支持部材
４、親骨（骨材）
４ａ、骨材
５、折畳み骨（骨材）
６、連結部
７、把手
８、傘生地
９，１０，１１，１２，１３，１４，１５、骨材を短くした部分
１６，１７，１８，１９，２０，２１，２２，２３，２４，２５，２６、傘生地を省いた部分
【図１】
2005177399.tif 000003
【図２】
2005177399.tif 000004
【図３】
2005177399.tif 000005
【図４】
2005177399.tif 000006
【図５】
2005177399.tif 000007
【図６】
2005177399.tif 000008
【図７】
2005177399.tif 000009
(57)【要約】【課題】  本発明は、歩くときや走るときに使うウォーキングサポートクッションを提供する。【解決手段】  軟体性素材によるクッション（１）の表面、稍中央に指裏の窪みに合わせるため、厚みを持たせた凸部状の箇所（２）を設け、これを基点とし前方の薄い凹部状の箇所（３）と厚みを有する凹部状の箇所（５）を設け、後方に薄い凸部状の箇所（４）を設け、更に裏側は接着面とし、履物の総てに活用可能にしたことを特徴とする。【選択図】  図１
2005177396.tif 000002
【特許請求の範囲】
【請求項１】
クッションの表面、稍中央に厚みを持たせた凸状の箇所を設け、これを基点とし、前方の薄い凹状の箇所と、前方に厚みを持たせた凸状の箇所を設け、後方に薄い凹状の箇所を有し、裏側に粘着剤による接着面とし、履物の総てに活用可能なものとしたことを特徴としたウォーキングサポートクッション。
【発明の詳細な説明】
【技術分野】
【０００１】  本発明は、歩くときや走るときに使うウォーキングサポートクッションに関するものである。
従来、足指の本能的動きの中で、指で大地をつかむような反応があり、そのような機能を持ちながら関心が薄く、取り上げられることなく、指の動きは単に空回り状態であり、有効的な活用がなされなかった。
【背景技術】
【０００２】  従来、歩くための履物の中で、靴に関してのみ、調節するための中敷として使用する用具はあった。
ところが、その中で土踏まずなどの凹凸部を設けたものもあるが、足裏の凹凸部を埋めるものであって、足指によって大地をつかむ感覚のものではなかった。
又中敷は、靴にのみ使用される限定されたものであった。
【発明の開示】
【発明が解決しようとする課題】
【０００３】  これは次のような欠点があった。
（イ）足の指の自然で本能的な機能に対する試みも、活用する用具もなかった。
（ロ）近いものとして、靴の中敷があるが、指の動きに対する有効的なものでなかった。
（ハ）中敷では靴以外の履物には適合しなかった。
本発明は、以上の欠点を解決するためになされたものである。
【課題を解決するための手段】
【０００４】  軟体性素材によるクッション（１）の表面、稍中央に指裏の窪みに合わせるため、厚みを持たせた凸部状の箇所（２）を設け、これを基点とし前方の薄い凹部状の箇所（３）と厚みを有する凹部状の箇所（５）を設け、後方に薄い凸部状の箇所（４）を設ける。
更に裏側は接着面とし、履物の総てに活用可能なものとした。
本発明は以上の構成よりなるウォーキングサポートクッション。
【発明の効果】
【０００５】  以下本発明の実施の形態を説明する。
従来、歩くときや、走るときの健康維持、促進が基本であり、初めは楽しいはずのものが、現実は大変なことで長続きが難しかった。
新たに指の自然な動き、機能を取り入れ、生かした用具によって、疲れ知らずの、より楽しい物になり、苦にならなくなる不思議感が、確かな実感として出てくる。
【発明を実施するための最良の形態】
【０００６】  何かをつかもうとする足指の本能的機能に対し、つかむ物を与えることによって、同じ距離でありながら疲れを感じない大きな違いが出てくる。
特に上り下りの起伏に力強さが加わり、苦痛に思えたものも疲れを感じない、楽しいものに変わることによって、持続＝健康維持に役立つ。
【実施例１】
【０００７】  クッション（１）の裏面の粘着剤による接着面（６）張り付けたシールを剥がし、たとえば靴の場合、中敷きを引き出し、足指に合せた位置に貼り付ける。
又サンダルなど、その他の履物には、指の位置に合せ、じか張りで良い。
【図面の簡単な説明】
【０００８】
【図１】本発明の斜視図
【図２】本発明の分解斜図
【図３】本発明の使用状態を示す斜視図
【符号の説明】
【０００９】１  クッションの表面
２  中央に厚みをもたせた凸部状の箇所
３  前方の薄い凹部状の箇所
４  前方に厚みを持たせた凸部状の箇所
５  後方に薄い凹部状の箇所
６  接着剤による接着面
【図１】
2005177396.tif 000003
【図２】
2005177396.tif 000004
【図３】
2005177396.tif 000005
(57)【要約】      （修正有）【課題】食後の歯の汚れを取るティース・ティッシュを提供する。【解決手段】グラスファイバーの素材をベースにしたティッシュ・ペーパーにどこでもうがいのできる折りたたみ式の紙コップを重ねてパックしたティース・ティッシュ。【選択図】図１
2005177397.tif 000002
【特許請求の範囲】
【請求項１】
紙又は布製のティッシュ（１）と折りたたんだ紙コップ（２）を重ねたティース・ティッシュ。
【発明の詳細な説明】
【技術分野】
【０００１】  本発明は外出時の食事の後などに口の周りや歯などを拭いたり又うがい等に使用するものでマイクロファイバー素材の紙又は、布製のティッシュで口の内の歯の汚れや口の周りの汚れを効果的に落とし又、付属する紙コップで口をゆすぐ事も可能な携帯用の多目的なティース・ティッシュに関するものである。
【背景技術】
【０００２】  従来のティッシュは吸湿性に優れていても只物を拭くだけであったり、紙も薄く弱い物が一般的であった。
一部にウエットティッシュのような物も見る事が出来る。
先行技術は、特許出願平１１−３１３３５３、特許出願２００１−１４３９７０、実用新案出願２００２−３４００がある。
【発明の開示】
【発明が解決しようとする課題】
【０００３】  そのためには次のような問題点があった。
（イ）従来のティッシュで歯を拭くと水に弱くてすぐ破けてしまう。
（ロ）外出時にいつも歯ブラシを持っていくことは出来ない。
（ハ）外出先で“うがい”をするにもまま為らない。
本発明は以上の問題点を解決しようとするものである。
【発明が解決するための手段】
【０００４】  従来のティッシュ・ペーパーのような柔らかな紙の素材ではなく、水にも強いグラスファイバーをベースにしたティッシュ（１）にうがい用の折りたたみ式紙コップ（２）を加えたティース・ティッシュ。
【発明の効果】
【０００５】  グラスファイバーを素材にしたティッシュにする事により水にも強くなり歯に付着した汚れも剥ぎ取る事が可能になり、必要に応じて一緒にパックされている折りたたみ式の紙コップにてうがいをする事が可能になる。
【発明を実施するための最良の形態】
【０００６】  以下本発明の実施の形態を説明する。
グラスファイバーの素材をベースにしたティッシュ・ペーパー（１）に折りたたみ可能な紙コップ（２）を重ねてパックする。
外出時に食後の後、歯を拭いたり、口をゆすいだりする事が出来る。
本発明は以上の構成によりなっている。
本発明を使用するときは通常のティッシュ・ペーパーと同じように取り出して使う事が出来る。
【図面の簡単な説明】
【０００７】
【図１】本発明の斜視図である。
【図２】本発明の断面図である。
【図３】本発明の使用状態を示す斜視図である。
【符号の説明】
【０００８】１  ティース・ティッシュ
２  紙コップ
【図１】
2005177397.tif 000003
【図２】
2005177397.tif 000004
【図３】
2005177397.tif 000005
(57)【要約】【課題】  プリザーブドフラワー等水を必要としない長期保存ができる花のアレンジメントで使用する器において、前述の花の特徴を生かし、設置面（縦型ｏｒ横型）を自由に選べ、かつ鏡としても機能する多機能な花器を提供する。【解決手段】  外面５に鏡２を付着させることによって、プリザーブドフラワーアレンジメント面と鏡面との２通りの利用法が可能になる。さらに部屋の中央等に設置した場合では、前述２通りの両方を有効に活用することが可能になり、設置場所や用途が広がる。【選択図】  図３
2005177400.tif 000002
【特許請求の範囲】
【請求項１】
プリザーブドフラワー等の水を必要としない長期保存できる花のアレンジメントの器において、外面に鏡を設けたことを特徴とする花器。
【発明の詳細な説明】
【技術分野】
【０００１】  本発明はプリザーブドフラワー等の水を必要としない長期保存できる花のアレンジメントに使用する花器に関する。
【背景技術】
【０００２】  プリザーブドフラワーアレンジメント等で使用する花器においては従来の生花同様（水入れ型）の設置面が限定された花器しかなく、また外面５に鏡が付いた多機能なものはなかった。
【発明の開示】
【発明が解決しようとする課題】
【０００３】  プワザーブドフラワー等のアレンジメントにおいては生花と違い水を必要しなく長期保存が可能で、インテリアとして、またギフトやウェディング等において需要が多い。しかしながら現状の花器は従来の生花のものと同様（水入れ型）、設置面が限定されていることから、前述のプリザーブドフラワーの特長を生かし、かつインテリアとして花器以外の要素を持つ多機能なものはなかった。
本発明はこのような従来有していた問題を解決する為になされたものである。
【課題を解決するための手段】
【０００４】  プリザーブドフラワー等の水を必要としない花のアレンジメントに使用する花器の外面５に鏡を付着させる。
【発明の効果】
【０００５】本発明のプリザーブドフラワー用鏡付き花器には次のような効果がある。
＜具体例＞
１．プリザーブドフラワーアレンジメントで使用する花器１の必要な外面に鏡を付着させて、正面を図３の鏡面、もしくは図４のプリザーブドフラワー３、プリザーブドリーフ４等をアレンジメントした面のどちらかを選択することで、２通りの用途で使用することが可能。
２．部屋の中央等に設置した場合は、図４、図５のプリザーブドフラワー３、プリザーブドリーフ４等をアレンジメントした面と、図３の鏡２とを同時に利用でき、花器の各面を区別なく使用することが可能になった。
【発明を実施する為の最良の形態】
【０００６】  花器１の外面５に鏡２を付着させることで図３のようにな形態を作ることが可能になった。
【産業上の利用可能性】
【０００７】  本発明はフラワー業界、インテリア業界、飲食業界の各種産業で利用可能である。
【図面の簡単な説明】
【０００８】
【図１】本発明の花器斜視図である。
【図２】本発明の花器断面図である。
【図３】本発明の花器外面に鏡を付着させた図である。
【図４】本発明の花器を使用してプリザーブドフラワーアレンジメントを実施した正面図である。
【図５】本発明の花器を使用してプリザーブドフラワーアレンジメントを実施した断面図である。
【符号の簡単な説明】
【０００９】１  花器
２  鏡
３  プリザーブドフラワー
４  プリザーブドリーフ
５  外面
【図１】
2005177400.tif 000003
【図２】
2005177400.tif 000004
【図３】
2005177400.tif 000005
【図４】
2005177400.tif 000006
【図５】
2005177400.tif 000007